(57)【要約】【課題】  ＨＤＤＶＤ層とＤＶＤ層が１層ずつ配されたハイブリッド型次世代ＤＶＤを円滑かつ迅速に判別する。【解決手段】  青用レーザ光を用いて記録層の層数を判別する（Ｓ１０１〜Ｓ１０３）。記録層の層数が２層であれば、レーザ光入射側から見て手前にある記録層に引き込みを行い、ＨＤＤＶＤデコーダにて復調を行う（Ｓ１０４、Ｓ１０５）。ここで、復調可能であれば、ＨＤＤＶＤ層が２層配されたディスクとして判別する。復調不可であれば、ＤＶＤデコーダで復調が可能かを判別する（Ｓ１０６）。復調可能であれば、赤用レーザ光に切り替えて、記録層の層数を判別する（Ｓ１０７〜Ｓ１０９）。ここで、記録層が２層検出されれば、ＤＶＤ層が２層灰されたディスクとして判別する。一方、記録層が１層検出されれば、ＨＤＤＶＤ層とＤＶＤ層が１層ずつ配されたハイブリッド型次世代ＤＶＤとして判別する。【選択図】    図３
2006318541.tif 000002
【特許請求の範囲】
【請求項１】
第１の波長のレーザ光に対応する第１の記録層と前記第１の波長よりも長い第２の波長のレーザ光に対応する第２の記録層がレーザ光入射側から見て奥から順に配置され、且つ、前記第１の記録層は前記第２の波長のレーザ光を用いた場合には光学的に検出されないようにして構成された２波長−２層ディスクを再生可能な光ディスク装置であって、
前記第１の波長のレーザ光を照射して記録層の層数を検出する第１の層数検出手段と、
前記第２の波長のレーザ光を照射して記録層の層数を検出する第２の層数検出手段と、
前記第１の波長のレーザ光に対応する第１のデータフォーマットに従って復調処理を行う第１の復調手段と、
前記第２の波長のレーザ光に対応する第２のデータフォーマットに従って復調処理を行う第２の復調手段と、
レーザ光入射側から見て最初に現れる記録層を前記第１の波長のレーザ光を用いながら前記第１の復調手段によって復調したときの復調の可否を判別する第１の判別手段と、
レーザ光入射側から見て最初に現れる記録層を前記第１の波長のレーザ光を用いながら前記第２の復調手段によって復調したときの復調の可否を判別する第２の判別手段と、
前記第１の層数検出手段によって２つの記録層が検出され、前記第２の層数検出手段によって１つの記録層が検出され、前記第１の判別手段によって復調不可と判別され、且つ、前記第２の判別手段によって復調可能と判別されたときに、装着されたディスクを前記２波長−２層ディスクとして判別するディスク判別手段と、
を有することを特徴とする光ディスク装置。
【請求項２】
請求項１に記載の光ディスク装置において、
前記ディスク判別手段は、前記第１の層数検出手段によって２つの記録層が検出され、且つ、前記第１の判別手段によって復調可能と判別されたとき、装着されたディスクを前記第１の記録層をディスクの厚み方向に２層有するディスクとして判別する、
ことを特徴とする光ディスク装置。
【請求項３】
請求項１または２に記載の光ディスク装置において、
前記ディスク判別手段は、前記第１の層数検出手段によって２つの記録層が検出され、前記第２の層数検出手段によって２つの記録層が検出され、前記第１の判別手段によって復調不可と判別され、且つ、前記第２の判別手段によって復調可能と判別されたときに、装着されたディスクを前記第２の記録層をディスクの厚み方向に２層有するディスクとして判別する、
ことを特徴とする光ディスク装置。
【請求項４】
第１の波長のレーザ光に対応する第１の記録層と前記第１の波長よりも長い第２の波長のレーザ光に対応する第２の記録層がレーザ光入射側から見て奥から順に配置され、且つ、前記第１の記録層は前記第２の波長のレーザ光を用いた場合には光学的に検出されないようにして構成された２波長−２層ディスクを再生可能な光ディスク装置におけるディスク判別方法であって、
前記第１の波長のレーザ光にて記録層の層数を検出する第１の層数検出ステップと、
前記第１の層数検出ステップにて２つの記録層が検出されたとき、レーザ光入射側から見て最初に現れる記録層を前記第１の波長のレーザ光を用いながら前記第１の波長のレーザ光に対応する第１のデータフォーマットに従って復調可能かを判別する第１の判別ステップと、
前記第１の判別ステップによって復調不可と判別されたとき、レーザ光入射側から見て最初に現れる記録層を前記第１の波長のレーザ光を用いながら第２の波長のレーザ光に対応する第２のデータフォーマットに従って復調可能かを判別する第２の判別ステップと、
前記第２の判別ステップによって復調可能と判別されたとき、前記第２の波長のレーザ光を照射して記録層の層数を検出する第２の層数検出ステップと、
前記第２の層数検出ステップにて１つの記録層が検出されたとき、装着されたディスクを前記２波長−２層ディスクとして判別するディスク判別ステップと、
を有することを特徴とするディスク判別方法。
【請求項５】
請求項４に記載のディスク判別方法において、
前記ディスク判別ステップは、前記第１の判別ステップにて復調可能と判別されたとき、装着されたディスクを前記第１の記録層をディスクの厚み方向に２層有するディスクとして判別する、
ことを特徴とするディスク判別方法。
【請求項６】
請求項４または５に記載のディスク判別方法において、
前記ディスク判別ステップは、前記第２の層数検出ステップにて２つの記録層が検出されたとき、装着されたディスクを前記第２の記録層をディスクの厚み方向に２層有するディスクとして判別する、
ことを特徴とするディスク判別方法。
【発明の詳細な説明】
【技術分野】
【０００１】
本発明は、第１の波長のレーザ光に対応する第１の記録層と、第１の波長よりも長い第２の波長のレーザ光に対応する第２の記録層が、レーザ光入射側から見て奥から順に配置され、且つ、第１の記録層は第２の波長のレーザ光を用いた場合には光学的に検出されないようにして構成された、２波長−２層ディスクを再生可能な光ディスク装置およびそれに用いて好適なディスク判別方法に関するものである。
【背景技術】
【０００２】
現在、波長４０５ｎｍ程度の青色レーザ光を用いた次世代ＤＶＤ（Digital Versatile Disc）の規格化が進められている。かかる規格化においては、青色レーザ光に対応する記録層（以下、ＨＤＤＶＤ層という）をディスク厚方向に２層配することが検討されており、さらに、ＨＤＤＶＤ層と、赤色レーザ光に対応する記録層（以下、ＤＶＤ層という）の２つの記録層をディスク厚方向に配することも検討されている。
【０００３】
このうち、ＨＤＤＶＤ層とＤＶＤ層が配されたハイブリッド型の次世代ＤＶＤでは、ＤＶＤ層をレーザ光入射側から見て手前に配置し、その奥にＨＤＤＶＤ層を配置するようにして構成される。そして、ＨＤＤＶＤ層は、赤色レーザ光を用いた場合には光学的に検出されないような材料にて形成され、さらに、ＤＶＤ層には、既存のＤＶＤと同一のフォーマットがそのまま適用される。
【０００４】
なお、以下の特許文献１には、２つの記録層を有する光ディスクとそのドライブ装置が紹介されている。
【特許文献３】特開２００３−３４６３４８号公報
【発明の開示】
【発明が解決しようとする課題】
【０００５】
かかるハイブリッド型の次世代ＤＶＤでは、上記の如く、ＤＶＤ層が既存のＤＶＤと同一のフォーマットとなっているため、手前のＤＶＤ層から記録／再生時の引き込み動作を行うと、ＤＶＤが装着されたときと同様のフォーマットにてデータが読み取られることとなる。このとき、ＤＶＤ層には別途ＨＤＤＶＤ層が存在することを示す情報が記録されていないため、ドライブ側においては、読み取られたデータのみによっては、ＤＶＤとハイブリッド型次世代ＤＶＤの何れが装着されたのか、適正に判別することができない。よって、かかるハイブリッド型の次世代ＤＶＤを扱う光ディスク装置では、既存のＤＶＤとハイブリッド型次世代ＤＶＤとを適正に区別する手段が必要となる。
【０００６】
このとき、ＨＤＤＶＤ層は、上記の如く、赤色レーザ光によっては光学的に検出されないため、赤色レーザ光を用いてハイブリッド型の次世代ＤＶＤを判別するのは困難である。さらに、これらの他にも、ＤＶＤ層が２層配されたＤＶＤや、ＨＤＤＶＤ層が２層配された次世代ＤＶＤ等も存在するため、これらが装着された場合にも、これらとハイブリッド型次世代ＤＶＤを円滑に区分して、その後の動作に迅速に移行する必要も生じる。
【０００７】
そこで、本発明は、ＤＶＤ層とＨＤＤＶＤ層を有するハイブリッド型の次世代ＤＶＤを円滑かつ迅速に判別できる光ディスク装置およびディスク判別方法を提供することを課題とする。
【課題を解決するための手段】
【０００８】
上記課題に鑑み本発明は、それぞれ以下の特徴を有する。
【０００９】
請求項１の発明は、第１の波長のレーザ光に対応する第１の記録層と前記第１の波長よりも長い第２の波長のレーザ光に対応する第２の記録層がレーザ光入射側から見て奥から順に配置され、且つ、前記第１の記録層は前記第２の波長のレーザ光を用いた場合には光学的に検出されないようにして構成された２波長−２層ディスクを再生可能な光ディスク装置であって、前記第１の波長のレーザ光を照射して記録層の層数を検出する第１の層数検出手段と、前記第２の波長のレーザ光を照射して記録層の層数を検出する第２の層数検出手段と、前記第１の波長のレーザ光に対応する第１のデータフォーマットに従って復調処理を行う第１の復調手段と、前記第２の波長のレーザ光に対応する第２のデータフォーマットに従って復調処理を行う第２の復調手段と、レーザ光入射側から見て最初に現れる記録層を前記第１の波長のレーザ光を用いながら前記第１の復調手段によって復調したときの復調の可否を判別する第１の判別手段と、レーザ光入射側から見て最初に現れる記録層を前記第１の波長のレーザ光を用いながら前記第２の復調手段によって復調したときの復調の可否を判別する第２の判別手段と、前記第１の層数検出手段によって２つの記録層が検出され、前記第２の層数検出手段によって１つの記録層が検出され、前記第１の判別手段によって復調不可と判別され、且つ、前記第２の判別手段によって復調可能と判別されたときに、装着されたディスクを前記２波長−２層ディスクとして判別するディスク判別手段とを有することを特徴とする。
【００１０】
請求項２の発明は、請求項１に記載の光ディスク装置において、前記ディスク判別手段は、前記第１の層数検出手段によって２つの記録層が検出され、且つ、前記第１の判別手段によって復調可能と判別されたとき、装着されたディスクを前記第１の記録層をディスクの厚み方向に２層有するディスクとして判別することを特徴とする。
【００１１】
請求項３の発明は、請求項１または２に記載の光ディスク装置において、前記ディスク判別手段は、前記第１の層数検出手段によって２つの記録層が検出され、前記第２の層数検出手段によって２つの記録層が検出され、前記第１の判別手段によって復調不可と判別され、且つ、前記第２の判別手段によって復調可能と判別されたときに、装着されたディスクを前記第２の記録層をディスクの厚み方向に２層有するディスクとして判別することを特徴とする。
【００１２】
請求項４の発明は、第１の波長のレーザ光に対応する第１の記録層と前記第１の波長よりも長い第２の波長のレーザ光に対応する第２の記録層がレーザ光入射側から見て奥から順に配置され、且つ、前記第１の記録層は前記第２の波長のレーザ光を用いた場合には光学的に検出されないようにして構成された２波長−２層ディスクを再生可能な光ディスク装置におけるディスク判別方法であって、前記第１の波長のレーザ光にて記録層の層数を検出する第１の層数検出ステップと、前記第１の層数検出ステップにて２つの記録層が検出されたとき、レーザ光入射側から見て最初に現れる記録層を前記第１の波長のレーザ光を用いながら前記第１の波長のレーザ光に対応する第１のデータフォーマットに従って復調可能かを判別する第１の判別ステップと、前記第１の判別ステップによって復調不可と判別されたとき、レーザ光入射側から見て最初に現れる記録層を前記第１の波長のレーザ光を用いながら第２の波長のレーザ光に対応する第２のデータフォーマットに従って復調可能かを判別する第２の判別ステップと、前記第２の判別ステップによって復調可能と判別されたとき、前記第２の波長のレーザ光を照射して記録層の層数を検出する第２の層数検出ステップと、前記第２の層数検出ステップにて１つの記録層が検出されたとき、装着されたディスクを前記２波長−２層ディスクとして判別するディスク判別ステップとを有することを特徴とする。
【００１３】
請求項５の発明は、請求項４に記載のディスク判別方法において、前記ディスク判別ステップは、前記第１の判別ステップにて復調可能と判別されたとき、装着されたディスクを前記第１の記録層をディスクの厚み方向に２層有するディスクとして判別することを特徴とする。
【００１４】
請求項６の発明は、請求項４または５に記載のディスク判別方法において、前記ディスク判別ステップは、前記第２の層数検出ステップにて２つの記録層が検出されたとき、装着されたディスクを前記第２の記録層をディスクの厚み方向に２層有するディスクとして判別することを特徴とする。
【発明の効果】
【００１５】
請求項１および４の発明によれば、第１の波長のレーザ光および第２の波長のレーザ光を用いて検出した記録層の層数と、レーザ光入射側から見て最初に現れる記録層を第１の波長のレーザ光を用いながら第１のデータフォーマットおよび第２のデータフォーマットに従って復調したときの復調の可否をもとに、２波長−２層ディスクが装着されたか否かが判別される。
【００１６】
このとき、レーザ光入射側から見て最初に現れる記録層に対する、第１のデータフォーマットによる復調の可否と第２のデータフォーマットによる復調の可否は、何れも、第１の波長のレーザ光を用いて行われる。よって、かかる判別時にレーザ光を切り替える必要はなく、ディスク判別処理の迅速化を図ることができる。
【００１７】
第１の波長のレーザ光は、第２の波長のレーザ光よりも波長が短いため、これを収束させたときのスポットサイズは、第２の波長のレーザ光を収束させた場合に比べて小さくなる。このため、レーザ光入射側から見て最初に現れる記録層が第２の波長のレーザ光に対応するものである場合には、スポットサイズが通常時よりも小さく絞り込まれることとなるが、このようにスポットサイズが絞り込まれたとしても、情報の読み出しには何ら支障ない。
【００１８】
よって、本発明のように、第１のデータフォーマットによる復調の可否と第２のデータフォーマットによる復調の可否の判別を、何れも第１の波長のレーザ光を用いて行うようにしても、かかる判別は支障なく適正に行われる。
【００１９】
請求項２および５の発明によれば、さらに、第１の波長を用いて検出した記録層の層数と、第１のデータフォーマットによる復調処理の可否をもとに、第１の記録層が２層配されたディスクが装着されたかを円滑に判別することができる。
【００２０】
請求項３および６の発明によれば、さらに、第１および第２の波長を用いて検出した記録層の層数と、第１および第２のデータフォーマットによる復調処理の可否をもとに、第２の記録層が２層配されたディスクを円滑かつ迅速に判別することができる。
【００２１】
このように、本発明によれば、同一系統の処理ルーチンを用いながら、２波長−２層ディスクの他、第１の記録層が２層配されたディスクと、第２の記録層が２層配されたディスクを、同時に区別して判別でき、さらに、第１の波長のレーザ光を用いて検出した記録層の層数から、記録層が１層のみ配されたディスクも判別することができる。
【００２２】
本発明の特徴ないし効果は、以下に示す実施形態の説明によって更に明らかとなろう。ただし、以下の実施形態は、あくまでも、本発明の一つの実施形態であって、本発明ないし各構成要件の用語の意義は、以下の実施の形態に記載されたものに制限されるものではない。
【発明を実施するための最良の形態】
【００２３】
以下、本発明の実施形態につき図面を参照して説明する。
【００２４】
なお、本実施形態は、ＤＶＤ層と次世代ＤＶＤ層が厚み方向に１層ずつ配された上述のハイブリッド型次世代ＤＶＤの他、ＤＶＤ層が１層のみ配されたＤＶＤ、ＤＶＤ層が２層配されたＤＶＤ、ＨＤＤＶＤ層が１層のみ配された次世代ＤＶＤ、ＨＤＤＶＤ層が２層配された次世代ＤＶＤに対応し得る互換型の光ディスク装置に本発明を適用したものである。
【００２５】
図１に、ハイブリッド型の次世代ＤＶＤの構造を示す。
【００２６】
ハイブリッド型次世代ＤＶＤ１は、片面にＨＤＤＶＤ層（第１の記録層）１２が形成された基板１１と、片面にＤＶＤ層（第２の記録層）１４が形成された基板１３を、接着層１５によって貼り合わせ、さらに基板１１の反対側の面に印刷層を形成した構造となっている。レーザ光は、基板１３側から入射される。ＨＤＤＶＤ層１２とＤＶＤ層１４には螺旋状のトラックが形成されている。
【００２７】
ＤＶＤ層１４のデータフォーマットは既存ＤＶＤのデータフォーマットと同一である。ＤＶＤ層１４のリードイン情報には、ＨＤＤＶＤ層１２が存在することを示す情報は含まれていない。ＤＶＤ層１４は、波長４０５ｎｍ程度の青色レーザ光と波長６５５ｎｍ程度の赤色レーザ光をそれぞれ規定された割合にて透過および反射する。
【００２８】
ＨＤＤＶＤ層１２には、次世代ＤＶＤ規格に従うデータフォーマットが適用されている。ＨＤＤＶＤ層１２のリードイン情報にも、ＤＶＤ層１４が存在することを示す情報は含まれていない。ＨＤＤＶＤ層１４は、青色レーザ光を規定された反射率にて反射するが、赤色レーザ光はほぼ全透過するような材料にて形成されている。よって、赤色レーザ光が用いられる場合、ＨＤＤＶＤ層１２は光学的に検出されない。
【００２９】
ＤＶＤ層が２層配されたＤＶＤは、図１の構成において、ＨＤＤＶＤ層１２がＤＶＤ層に置き換わった構成となっている。各ＤＶＤ層１４のリードイン情報には、ＤＶＤ層が２つ存在することを示す情報が含まれている。これら２つのＤＶＤ層は、波長６５５ｎｍ程度の赤色レーザ光をそれぞれ規定された割合にて透過および反射する。また、かかるディスクに波長４０５ｎｍ程度の青色レーザ光を照射した場合、２つのＤＶＤ層はそれぞれ、青色レーザ光を所定の反射率にて反射する。青色レーザ光が照射された場合には、その反射光によって、それぞれのＤＶＤ層の検出と、各ＤＶＤ層からの情報の読み出しが可能となる。なお、ＤＶＤ層が２層配されたＤＶＤの構成・各層の組成等は、既に公知となっている。
【００３０】
ＨＤＤＶＤ層が２層配された次世代ＤＶＤは、図１の構成において、ＤＶＤ層１４がＨＤＤＶＤ層に置き換わった構成となっている。この場合、２つのＨＤＤＶＤ層は、波長４０５ｎｍ程度の青色レーザ光をそれぞれ規定された割合にて透過および反射する。また、かかるディスクに波長６５５ｎｍ程度の赤色レーザ光を照射した場合、２つのＨＤＤＶＤ層は、それぞれ、赤色レーザ光を所定の反射率にて反射する。赤色レーザ光が照射された場合には、その反射光によって、それぞれのＨＤＤＶＤ層の検出が可能となる。しかし、トラックに対するスポットサイズが大きいため、赤色レーザ光を用いて各ＨＤＤＶＤ層から情報を適正に読み出すことはできない。なお、ＨＤＤＶＤ層が２層配された次世代ＤＶＤの構成・各層の組成等は、既に公知となっている。
【００３１】
図２に、本実施形態に係る光ディスク装置の構成を示す。なお、同図には、再生系に関するブロックのみが示されている。
【００３２】
光ディスク装置は、光ピックアップ１０１と、信号生成回路１０２と、サーボ回路１０３と、レーザ駆動回路１０４と、復調回路１０５と、コントローラ１０６と、スピンドルモータ１０７を備えている。
【００３３】
光ピックアップ１０１は、波長４０５ｎｍ程度の青色レーザ光と波長６５５ｎｍ程度の赤色レーザ光を出射する半導体レーザと、これらレーザ光をディスク上に収束するための対物レンズと、対物レンズをフォーカス方向およびトラッキング方向に駆動する対物レンズアクチュエータと、ディスクからの反射光を受光する光検出器と、半導体レーザからのレーザ光を対物レンズに導くとともにディスクからの反射光を光検出器に導く光学系を備えている。
【００３４】
信号生成回路１０２は、光ピックアップ１０１に配された光検出器からの信号を演算処理してＲＦ信号、フォーカスエラー信号、トラッキングエラー信号等の各種信号を生成し、これらを対応する回路に出力する。
【００３５】
サーボ回路１０３は、信号生成回路１０２から入力された信号をもとに、フォーカスサーボ信号およびトラッキングサーボ信号を生成し、光ピックアップ１０１の対物レンズアクチュエータに出力する。また、信号生成回路１０２から入力された信号をもとにモータサーボ信号を生成しスピンドルモータ１０７に出力する。
【００３６】
レーザ駆動回路１０４は、コントローラ１０６から入力される制御信号をもとに、光ピックアップ１０１内の半導体レーザに駆動信号を出力する。かかる制御により、青色レーザ光の発光と、赤色レーザ光の発光が適宜切り替えられる。
【００３７】
復調回路１０５は、信号生成回路１０２から入力されたＲＦ信号を復調して再生データを生成し後段回路に出力する。復調回路１０５は、ＤＶＤデータフォーマットに従ってデータ復調を行う復調部（ＤＶＤデコーダ）と、次世代ＤＶＤデータフォーマットに従ってデータ復調を行う復調部（ＨＤＤＶＤデコーダ）を備えている。何れの復調部を用いるかは、コントローラ１０６からの制御信号をもとに設定される。また、ディスク判別時には、各復調部にて復調できたか否かを示す信号が、復調回路１０５からコントローラ１０６に出力される。
【００３８】
コントローラ１０６は、内蔵メモリに各種データを格納するとともに、あらかじめ設定されたプログラムに従って、各部を制御する。
【００３９】
図３に、ディスク判別時の処理フローチャートを示す。
【００４０】
ディスク装着後、ディスク判別処理が開始されると、まず、青色レーザ光を出射する半導体レーザが点灯され（Ｓ１０１）、ディスクに対するフォーカスサーチが行われる（Ｓ１０２）。かかるフォーカスサーチでは、光ピックアップ１０１の対物レンズがフォーカス方向に振られ、その際、フォーカスエラー信号上に生じるＳカーブの個数がコントローラ１０６によってカウントされる。そして、そのカウント値をもとに、当該ディスクに配された記録層の層数が検出される（Ｓ１０３）。
【００４１】
ここで、記録層の層数が２層であれば、青色レーザ光を発光させたまま、レーザ光入射側から見て手前にある１層目の記録層に対する引き込み動作が行われる（Ｓ１０４）。そして、引き込み後に読み取られた信号を、復調回路１０５内のＨＤＤＶＤデコーダにて復調し、その復調の可否を判別する（Ｓ１０５）。
【００４２】
ＨＤＤＶＤデコーダで復調可能であれば（Ｓ１０５：ＯＫ）、装着されたディスクはＨＤＤＶＤ層が２層配された次世代ＤＶＤ（青２層ディスク）であるとして判別される。
【００４３】
ＨＤＤＶＤデコーダで復調不可であれば（Ｓ１０５：ＮＧ）、引き込み後に読み取られた信号を、復調回路１０５内のＤＶＤデコーダにて復調し、その復調の可否を判別する（Ｓ１０６）。
【００４４】
なお、Ｓ１０６の処理はＳ１０５の処理と並行して行うようにしても良い。すなわち、引き込み後に読み取られた信号を、復調回路１０５内のＨＤＤＶＤデコーダとＤＶＤデコーダにて順次復調し、それぞれ、その復調の可否を判別するようにしても良い。
【００４５】
Ｓ１０６において、ＤＶＤデコーダにて復調不可であると判別されると、装着されたディスクは判別不可のディスク（エラー）とされる。一方、ＤＶＤデコーダで復調可能であれば（Ｓ１０６：ＯＫ）、装着されたディスクは、上述のハイブリッド型次世代ＤＶＤか、ＤＶＤ層が２層配されたディスク（赤２層ディスク）の何れかに絞り込まれ、Ｓ１０７以降のステップによって、このうち何れのディスクであるかの判別が行われる。
【００４６】
かかる判別では、まず、使用レーザ光が青用レーザ光から赤色レーザ光に切り替えられ（Ｓ１０７）、赤色レーザ光にてディスクに対するフォーカスサーチが行われる（Ｓ１０８）。そして、上記と同様、フォーカスエラー信号上に生じるＳカーブの個数がカウントされ、そのカウント値をもとに、当該ディスクに配された記録層の層数が検出される（Ｓ１０９）。
【００４７】
ここで、記録層の層数が２層であれば（Ｓ１０９：Ｙ）、装着されたディスクはＤＶＤ層が２層配されたＤＶＤ（赤２層ディスク）であるとして判別される。一方、記録層の層数が１層であれば（Ｓ１０９：Ｎ）、装着されたディスクは、赤色レーザ光ではＨＤＤＶＤ層を検出できないタイプのディスク、すなわち、ＨＤＤＶＤ層とＤＶＤ層が１層ずつ配されたハイブリッド型次世代ＤＶＤ（青／赤２層ディスク）であるとして判別される。
【００４８】
Ｓ１０３において、記録層の層数が１層であると判別されると、青色レーザ光を発光させたまま、その記録層に対する引き込み動作が行われる（Ｓ１１０）。そして、引き込み後に読み取られた信号を、復調回路１０５内のＨＤＤＶＤデコーダにて復調し、その復調の可否を判別する（Ｓ１１１）。
【００４９】
ＨＤＤＶＤデコーダで復調可能であれば（Ｓ１１１：ＯＫ）、装着されたディスクはＨＤＤＶＤ層が１層配された次世代ＤＶＤ（青１層ディスク）であるとされ、一方、ＨＤＤＶＤデコーダで復調不可であれば（Ｓ１１１：ＮＧ）、装着されたディスクはＤＶＤ層が１層配されたＤＶＤ（赤１層ディスク）であるとされる。
【００５０】
なお、ＨＤＤＶＤデコーダで復調不可の場合（Ｓ１１１：ＮＧ）、図４に示すように、さらに、ＤＶＤデコーダによる復調の可否を判別し（Ｓ１１２）、ここで復調可能な場合に、装着されたディスクをＤＶＤ層が１層配されたＤＶＤ（赤１層ディスク）として判別するようにしても良い。こうすると、より確実に、ＤＶＤ（赤１層ディスク）の判別を行うことができる。
【００５１】
また、ＣＤも対象とする場合には、図５に示すように、ＤＶＤデコーダで復調不可であれば（Ｓ１１２：ＮＧ）、装着されたディスクをＣＤであるとして判別するようにしても良い。この場合、復調回路１０５にはＣＤ用のデコーダも配備される。
【００５２】
以上、本実施の形態によれば、装着されたディスクが何れのタイプのディスクであるかを、円滑かつ迅速に、判別することができる。
【００５３】
なお、本発明の実施の形態は、上記実施の形態に限定されず、特許請求の範囲に示された技術的思想の範囲内において、適宜、種々の変更が可能である。
【図面の簡単な説明】
【００５４】
【図１】実施の形態に係る光ディスクの構成を示す図
【図２】実施の形態に係る光ディスク装置の構成を示す図
【図３】実施の形態に係るディスク判別時の処理フローチャート
【図４】実施の形態に係るディスク判別時の処理フローチャートの変更例
【図５】実施の形態に係るディスク判別時の処理フローチャートの変更例
【符号の説明】
【００５５】
１０１  光ピックアップ
１０２  信号生成回路
１０３  サーボ回路
１０４  レーザ駆動回路
１０５  復調回路
１０６  コントローラ
【図１】
2006318541.tif 000003
【図２】
2006318541.tif 000004
【図３】
2006318541.tif 000005
【図４】
2006318541.tif 000006
【図５】
2006318541.tif 000007